(57)【要約】【課題】  画像表示機能付き双眼鏡に観察対象に関わる画像情報を表示する。【解決手段】  双眼鏡１０にＬＣＤ１２と、カードスロット１９を設ける。カードスロット１９に装着されるＩＣメモリカードに、観察対象となる鳥に関わる画像データや音声データを格納する。双眼鏡１０において観察対象となる鳥を、季節、場所、大きさ等の属性に基づくカテゴリに分類する。これらのカテゴリを階層的に構成し、この構成にしたがってＩＣメモリカードのディレクトリ構造を構成する。ディレクトリ構造の末端のフォルダに、対応する画像データや音声ファイルを配置する。観察している鳥が属するカテゴリを矢印キー１７Ｒ、１７Ｌ、１７Ｕ、１７Ｄを用いて順次選択することにより末端のフォルダを選択し、これに含まれる画像データのサムネイル画像をマルチ画面としてＬＣＤ１２に表示する。【選択図】        図１
2005078045.tif 000002
【特許請求の範囲】
【請求項１】
観察対象物の種々の属性に基づき分類される所定のカテゴリごとに形成された階層ディレクトリ構造を有し、その各最下位ディレクトリには、前記観察対象物の種類を特定する第１の画像データからなる参照用データ群が格納されるとともに、各カテゴリおよび各ディレクトリをそれぞれ示す第２の画像データからなるガイド用データ群とが格納されている記録媒体と、
画像を表示するための画像表示手段と、
手動操作部材の操作に対応して、前記階層ディレクトリ構造に沿って各ディレクトリを指定してカレントディレクトリを設定する設定手段と、
前記ガイド用画像データ群の中から、前記設定手段が指定するディレクトリに対応した第２画像を前記画像表示手段に表示させる一方、前記設定手段が最下位ディレクトリを指定している場合は、その最下位ディレクトリ内に属する参照用データ群を順次読み出して前記画像表示手段にマルチ画面表示させるマルチ画面表示手段と
を具備することを特徴とする画像表示機能付き観察用光学機器。
【請求項２】
前記参照用データ群が、前記第１の画像データに関連する関連情報データを有することを特徴とする請求項１に記載の画像表示機能付き観察用光学機器。
【請求項３】
前記手動操作部材の操作に応じて、前記最下位ディレクトリ内に属する前記参照用データ群を順次読み出して前記画像表示手段に表示させる制御手段を備えることを特徴とする請求項２に記載の画像表示機能付き観察用光学機器。
【請求項４】
音声ファイルを再生して発音させる音声再生手段を有するとともに、前記関連情報データが音声データを有し、前記制御手段は、前記手動操作部材により音声データが選択された場合は、音声データを前記音声再生手段により再生させることを特徴とする請求項３に記載の画像表示機能付き観察用光学機器。
【請求項５】
前記観察対象物が鳥であることを特徴とする請求項１に記載の画像表示機能付き観察用光学機器。
【請求項６】
前記カテゴリが四季に関するカテゴリを含むことを特徴とする請求項５に記載の画像表示機能付き観察用光学機器。
【請求項７】
前記カテゴリが、鳥が生息する場所に関するカテゴリを含むことを特徴とする請求項５に記載の画像表示機能付き観察用光学機器。
【請求項８】
前記カテゴリが、鳥の大きさに関するカテゴリを含むことを特徴とする請求項５に記載の画像表示機能付き観察用光学機器。
【請求項９】
前記関連情報ファイルが、鳥の鳴き声の音声ファイルを含むことを特徴とする請求項５に記載の画像表示機能付き観察用光学機器。
【請求項１０】
前記観察用光学機器は前記記録媒体を着脱可能に保持する記録媒体装着部を有することを特徴とする請求項１に記載の画像表示機能付き観察用光学機器。
【請求項１１】
観察光学系により観察される観察対象物を撮影、記録するとともに前記画像表示手段に再生表示させる記録再生手段を備え、この記録再生手段は、前記記録媒体内において、前記観察対象物に関する画像データ群及び前記関連情報データ群が格納されている領域と区別された空き領域を認識し、その領域内に撮影画像を記録することを特徴とする請求項１に記載の画像表示機能付き観察用光学機器。
【請求項１２】
前記マルチ画面表示手段を駆動する第１のモードと前記再生手段を駆動する第２のモードとの間の切り替えを行う切替スイッチを備え、前記切替スイッチを所定の時間に渡って押し続けることにより、前記第１及び第２のモード間の切り替えを行うことを特徴とする請求項１１に記載の画像表示機能付き観察用光学機器。
【発明の詳細な説明】
【技術分野】
【０００１】
本発明は、画像表示機能が搭載された観察用光学機器に関する。
【背景技術】
【０００２】
液晶モニタが搭載されたデジタルカメラ機能付き観察用光学機器として、デジタルカメラ機能付双眼鏡が知られている。デジタルカメラ機能付き双眼鏡では、接眼レンズを通して複眼視される映像と略同一の画像を液晶モニタに表示できるとともにデジタル画像として記録可能である。
【特許文献１】特開２００３−１０７３６９号公報
【発明の開示】
【発明が解決しようとする課題】
【０００３】
双眼鏡は、バードウォッチングやスポーツ観戦などに用いられることが多い。バードウォッチングやスポーツ観戦では、鳥、選手といった特定の対象が観察される。このとき双眼鏡利用者は、観察対象を漠然と観察するのではなく、観察対象の種類や個別の名称などを同定することが一般的である。例えばバードウォッチングでは鳥の種類であり、スポーツ観戦ではチーム名や選手の名前である。
【０００４】
本発明は、観察対象に関わる情報を表示可能な画像表示機能付き観察用光学機器を得ることを目的としている。
【課題を解決するための手段】
【０００５】
本発明の画像表示機能付き観察用光学機器は、観察対象物の種々の属性に基づき分類される所定のカテゴリごとに形成された階層ディレクトリ構造を有し、その各最下位ディレクトリには、観察対象物の種類を特定する第１の画像データからなる参照用データ群が格納されるとともに、各カテゴリおよび各ディレクトリをそれぞれ示す第２の画像データからなるガイド用データ群とが格納されている記録媒体と、画像を表示するための画像表示手段と、手動操作部材の操作に対応して、階層ディレクトリ構造に沿って各ディレクトリを指定してカレントディレクトリを設定する設定手段と、ガイド用画像データ群の中から、設定手段が指定するディレクトリに対応した第２画像を画像表示手段に表示させる一方、設定手段が最下位ディレクトリを指定している場合は、その最下位ディレクトリ内に属する参照用データ群を順次読み出して画像表示手段にマルチ画面表示させるマルチ画面表示手段とを具備したことを特徴としている。
【０００６】
参照用データ群は、第１の画像データに関連する関連情報データを有することが好ましい。また更に、手動操作部材の操作に応じて、最下位ディレクトリ内に属する参照用データ群を順次読み出して画像表示手段に表示させる制御手段を備えることが好ましい。このとき、画像表示機能付き観察用光学機器は、音声ファイルを再生して発音させる音声再生手段を有することが好ましく、関連情報データが音声データであることが好ましい。制御手段は、手動操作部材により音声データが選択された場合、音声データを音声再生手段により再生させる。これにより、観察対象物に対する視覚的な情報のみならず、聴覚的な情報も簡便に得ることができる。
【０００７】
観察対象物は、例えば鳥であり、カテゴリは例えば四季に関するカテゴリを含む。また、カテゴリは、鳥が生息する場所に関するカテゴリ、あるいは、鳥の大きさに関するカテゴリを含む。また更に、関連情報ファイルは、例えば鳥の鳴き声の音声ファイルを含む。
【０００８】
観察用光学機器は好ましくは、記録媒体を着脱可能に保持する記録媒体装着部を有する。これにより観察対象物に応じて異なる分野の画像データを記録した記録媒体を適宜装着して用いることができる。
【０００９】
画像表示機能付き観察用光学機器は、例えば観察光学系により観察される観察対象物を撮影、記録するとともに画像表示手段に再生表示させる記録再生手段を備える。この記録再生手段は、記録媒体内において、観察対象物に関する画像データ群及び関連情報データ群が格納されている領域と区別された空き領域を認識し、その領域内に撮影画像を記録する。
【００１０】
このとき画像表示機能付き観察用光学機器は、例えばマルチ画面表示手段を駆動する第１のモードと記録再生手段を駆動する第２のモードとの間の切り替えを行う切替スイッチを備える。第１及び第２のモード間の切り替えは、例えば切替スイッチを所定の時間に渡って押し続けることにより行なわれる。
【発明の効果】
【００１１】
以上のように、本発明によれば、観察対象に関わる情報を表示可能な画像表示機能付き観察用光学機器を得ることができる。
【発明を実施するための最良の形態】
【００１２】
以下、本発明の実施の形態を、図面を参照して説明する。
図１は、本発明の一実施形態であるデジタルカメラ機能付き双眼鏡の外観を接眼レンズ側（背面側）から見たときの斜視図である。
【００１３】
双眼鏡１０の背面には、一対の接眼部１１Ｒ、１１Ｌが設けられ、その上面の略中央には、ＬＣＤなどの画像表示装置１２が設けられる。画像表示装置１２の手前（図面１において）には合焦のための転輪１３が設けられる。画像表示装置１２は、パネル状に成形されており、上面と正面の稜線に沿った軸を回転軸に開閉自在である。すなわち、画像表示装置１２が開かれると、画面は背面方向に向けて略直立される。また、画像表示装置１２が閉じられると、画面は双眼鏡１０の上面に臥せられる。なお、撮影用の光学系（図示せず）の合焦動作は、接眼部１１Ｌ、１１Ｒを含む双眼鏡用光学系の合焦動作に連動しており、転輪１３を用いて行なわれる。
【００１４】
双眼鏡１０の上面右手前側にはレリーズスイッチ１４が設けられる。レリーズスイッチ１４の後側（正面より）には、メニュキー１５、ディスプレイボタン１６、及び上下左右方向に対応する４つの矢印キー１７Ｕ、１７Ｄ、１７Ｌ、１７Ｒと、これらに囲まれるＯＫキー１８とが設けられる。また、双眼鏡１０の側面には、メモリカード等の記録媒体を挿入するためのカードスロット１９が設けられる。
【００１５】
図２に、図１のデジタルカメラ機能付き双眼鏡１０の電気的な構成を示すブロック図を示す。
【００１６】
撮影用光学系２０を介して入射された被写体像は、撮像ブロック２１内のＣＣＤなどの撮像素子で結像され、画像信号として検出される。撮像ブロック２１では、検出された画像信号に対してＣＣＤプロセス処理などの所定の信号処理が施される。その後画像信号はキャプチャ回路２２を介してプロセッサ２３に送られる。
【００１７】
キャプチャ回路は、撮像ブロック２１からの画像信号（画像データ）をレリーズスイッチ１４の操作に応じて一時的に保存する回路である。例えば、撮像素子で撮像された画像を画像表示装置１２にシースルー画像として表示する場合には、間引きした画像信号を随時プロセッサ２３に出力し、バスＢＳを介して画像表示装置１２に動画として表示する。レリーズスイッチ１４が操作されると、例えば間引きを行っていない画像データを図示しないメモリに一時的に保存する。
【００１８】
キャプチャ回路２２に保存された画像データは、プロセッサ２３及びバスＢＳを介して画像表示装置１２に静止画像として表示される。なお、撮像ブロック２１、キャプチャ回路２２は、タイミングジェネレータ２４からの同期信号により制御され、タイミングジェネレータ２４は、プロセッサ２３により制御される。また、レリーズスイッチ１４等を含むスイッチ群２５、及びスピーカ３０は、例えばバスＢＳを介してプロセッサ２３に接続される。
【００１９】
また、プロセッサ２３には、Ｉ／Ｏコントロール回路２６が接続され、Ｉ／Ｏコントロール回路２６には、記録媒体制御回路２７が接続される。記録媒体制御回路２７は、ＩＣメモリカード等の記録媒体Ｍが着脱自在に装着される記録媒体装着部２７ａを有しており、記録媒体装着部２７ａに装着された記録媒体Ｍの記憶容量やファイル階層、現在の空き領域を認識するとともに、記録媒体Ｍへのデータの書き込みや、記録媒体Ｍからのデータの読み出しが行なわれる。例えば記録媒体Ｍの空き領域には、撮影され、キャプチャ回路２２に一時的に保存された画像データがプロセッサ２３、Ｉ／Ｏコントロール回路２６、記録媒体制御回路２７を介して書き込まれる。また、例えば記録媒体Ｍに記録されている画像データは、記録媒体制御回路２７、Ｉ／Ｏコントロール回路２６、プロセッサ２３、バスＢＳを介してワークＲＡＭ２８に転送することが可能である。なお、プロセッサ２３は、ＲＯＭ２９に記録されたシステムプログラムに従って駆動される。
【００２０】
次に図３〜図９を参照して、本実施形態においてプロセッサ２３において実行される参照画像表示処理動作について説明する。なお、本実施形態では、双眼鏡１０を用いてバードウォッチングを行う場合を例に説明する。
【００２１】
図３は、記録媒体Ｍに形成されたフォルダ（ディレクトリ）の階層構造を例示した図である。図３に示されるように、記録媒体Ｍのルート（ルートディレクトリ）には、フォルダ「ＤＣＩＭ」と例えばフォルダ「鳥の図鑑」が存在する。フォルダ「ＤＣＩＭ」は、デジタルスチルカメラで撮影された画像ファイルを格納しておくためのフォルダである。すなわち、プロセッサ２３が、通常のデジタルカメラとしての処理を実行している間（参照画像表示処理動作の起動前）、カレントディレクトリは「ＤＣＩＭ」の下にある所定のフォルダにある。そして、撮影画像は記録媒体Ｍの空き領域に、例えばＪＰＥＧ形式の画像データとして記録され、この画像データは「ＤＣＩＭ」フォルダの下にある所定のフォルダ内に格納されたファイルとして管理される。
【００２２】
フォルダ「鳥の図鑑」の下には、例えば「春」、「夏」、「秋」、「冬」の４つの季節に対応したフォルダが存在し、それぞれのフォルダの下には例えば「山」、「海」、「街」等の観察する場所に対応したフォルダが設けられる。また「山」、「海」、「街」等の場所に対応したフォルダの下には、例えば「大」、「中」、「小」等の鳥の大きさに対応するフォルダがそれぞれ設けられる。なお、図３では、フォルダ「春」の下にある「山」、「海」、「街」のフォルダと、「山」の下にある「大」、「中」、「小」のフォルダのみが示されおり、他は省略されている。
【００２３】
各季節、各場所のフォルダの下にある大中小のフォルダには、それぞれ季節、場所、大きさで分類された鳥の画像ファイルと、画像ファイルに関連する情報が含まれるファイルが格納されている。図４に、「￥鳥の図鑑￥秋￥街￥小」に、格納されているファイルの一例を示す。例えばファイル「ツグミ．ｊｐｇ」は鶫の画像ファイルであり、「ツグミ．ｊｐｅｇ」は、「ツグミ．ｊｐｇ」の画像に鳥の名前等の文字情報を合成した画像ファイルである。また、「ツグミ．ｗａｖ」は、鶫の声を録音した音声データである。図５（ａ）、（ｂ）に「ツグミ．ｊｐｇ」、「ツグミ．ｊｐｅｇ」の画像の一例を示す。なお、図４には、鶫と鵯に関するファイルのみが示されているが、「￥鳥の図鑑￥秋￥都市￥小」には、秋に街で見られる様々な小型の鳥の画像ファイルとその鳥の音声ファイルが格納される。また、四季を通じて見られる鳥や、例えば山でも街でも見られるような鳥に関しては、複数のフォルダに同一のファイルが重複して格納されている。
【００２４】
一方、フォルダ「鳥の図鑑」には、図６に例示するビットマップデータが格納されている。「ａｒｅａ１．ｂｍｐ」、「ａｒｅａ２．ｂｍｐ」、「ａｒｅａ３．ｂｍｐ」のファイルは、それぞれ「山」、「海」、「街」のフォルダに対応しており、「ｓｅａｓｏｎ１．ｂｍｐ」、「ｓｅａｓｏｎ２．ｂｍｐ」、「ｓｅａｓｏｎ３．ｂｍｐ」、「ｓｅａｓｏｎ４．ｂｍｐ」のファイルは、それぞれ「春」、「夏」、「秋」、「冬」のフォルダに対応している。また、「ｓｉｚｅ１．ｂｍｐ」、「ｓｉｚｅ２．ｂｍｐ」、「ｓｉｚｅ３．ｂｍｐ」のファイルは、それぞれ「大」、「中」、「小」のフォルダに対応し、「ｔｉｔｌｅ．ｂｍｐ」のファイルは、フォルダ「鳥の図鑑」に対応している。図７（ａ）〜（ｄ）に、「ｔｉｔｌｅ．ｂｍｐ」（鳥の図鑑）、「ｓｅａｓｏｎ３．ｂｍｐ」（秋）、「ａｒｅａ３．ｂｍｐ」（街）、「ｓｉｚｅ３．ｂｍｐ」（小）各々のビットマップデータの一例を示す。なお、上記「鳥の図鑑」フォルダに格納されるビットマップファイル（ｂｍｐファイル）及び画像ファイル（ＪＰＧまたはＪＰＥＧファイル）の容量は、いずれも画像表示装置１２の表示画素数を満足すればよいので、撮影画像のファイルに比べて非常に小さくて済む。したがって、記録媒体Ｍに関しては、撮影画像を格納するために利用される空き領域を十分に確保できる。
【００２５】
本実施形態において、鳥の画像ファイル（拡張子ＪＰＧのファイル）の他に、同じ鳥の画像に名前の文字情報を合成した画像ファイル（拡張子ＪＰＥＧのファイル）を用意しているのは、これらの画像ファイルの表示を切り替えて表示することにより、文字情報に関してのみ表示と非表示とを交互に切り替えて表示させることを可能とし、画像表示装置上の文字情報と対象物の画像の視認性を共に向上させるためである。
【００２６】
図８〜図９は、本実施形態の参照画像表示処理動作のプログラムのフローチャートである。この参照画像表示処理動作は、例えばメニュキー１５が所定の時間に渡って長押しされた場合に割込み処理等により開始される。なお、参照画像表示処理動作が実行される前において、プロセッサ２３では、通常のデジタルカメラと同様のプログラムが実行されている。
【００２７】
ステップＳ１０１では、ＩＣメモリカードのルートディレクトリにある「ＤＣＩＭ」以外のフォルダが検索され、カレントディレクトリがそのフォルダに変更される。本実施形態の場合、「ＤＣＩＭ」以外でルートディレクトリに存在するフォルダは「鳥の図鑑」なので、カレントディレクトリは、「鳥の図鑑」に変更される。このとき、ステップＳ１０２において、カレントのフォルダ「鳥の図鑑」に対応するビットマップデータ「ｔｉｔｌｅ．ｂｍｐ」が画像表示装置１２に表示される。ステップＳ１０２は、カレントのフォルダ又はファイルに対応する画像を画像表示装置１２に表示し、ファイルが選択されている場合には、対応するファイルの画像が画像表示装置１２に表示される。
【００２８】
ステップＳ１０３〜ステップＳ１０８では、矢印キー１７Ｕ、１７Ｄ、１７Ｒ、１７Ｌ、メニュキー１５、ＯＫキー１８が操作された否かが判定され、その操作内容に応じて所定の処理（ステップＳ１０９〜Ｓ１１３）が行なわれる。すなわち、ステップＳ１０３では、アップキー１７Ｕが押されたか否かが判定され、ステップＳ１０４ではダウンキー１７Ｄが押されたか否かが判手される。また、ステップＳ１０５では、左右の矢印キー１７Ｌ、１７Ｒが押されたか否かが判定される。また更に、ステップＳ１０６ではメニュキー１５、ステップＳ１０７ではＯＫキー１８が押されたかが判定され、ステップＳ１０８ではメニュキー１５が長押しされたか否かが判定される。
【００２９】
ステップＳ１０３でアップキー１７Ｕが操作されたと判定されると、ステップＳ１０９において、カレントのフォルダが、上位の階層のフォルダに変更され、その後処理はステップＳ１０２に戻り変更されたフォルダに対応する画像を表示する。例えばカレントのフォルダが「￥鳥の図鑑￥秋￥街」であり、画像表示装置１２には図７（ｃ）の画像が表示されているときにアップキー１７Ｕが操作されると、フォルダは「￥鳥の図鑑￥秋」に変更され、画像表示装置１２には図７（ｂ）の画像が表示される。なお、上位の階層がルートディレクトリのときはフォルダの変更を行わない。
【００３０】
ステップＳ１０４において、ダウンキー１７Ｄが操作されたと判定された場合には、ステップＳ１１０において、カレントフォルダ（カレントディレクトリ）が最下位フォルダであるか否かが判定される。既にカレントフォルダが最下位フォルダである場合には、ステップＳ１１６以下の処理に移る（後に詳述）。一方、カレントフォルダが最下位フォルダではない場合には、そのフォルダの下にあるフォルダが検索され、初めに検索されたフォルダにカレントフォルダは移される。そして、ステップＳ１１５では、再び選択されたフォルダが最下位フォルダであるか否かが判定される。ここでカレントフォルダが最下位フォルダであればステップＳ１１０のときと同様にステップＳ１１６以下の処理に移る。
【００３１】
一方、ステップＳ１１５において、最下位フォルダではないと判定されると、ステップＳ１０２において、選択されたフォルダに対応する画像が表示される。例えば、カレントフォルダが「￥鳥の図鑑￥秋￥街」のときにダウンキー１７Ｄが操作されると、このフォルダの下にある「大」のフォルダが初めに検索され、これに対応するファイル「ｓｉｚｅ１．ｂｍｐ」の画像が画像表示装置１２に表示される。また、ファイルが選択された状態、すなわち「＊＊＊．ｊｐｇ」または「＊＊＊．ｊｐｅｇ」の画像が表示されている状態では、カレントフォルダは、最下位フォルダなので、ダウンキー１７Ｄが操作されると、ステップＳ１１６以下の処理が開始される。
【００３２】
ステップＳ１０５において、左右キー１７Ｌ、１７Ｒが押されたと判定された場合には、ステップＳ１１１において、前のまたは次のフォルダ（またはファイル）が検索される。例えば左キー１７Ｌが押されると、前のフォルダ（またはファイル）が検索され、右キー１７Ｒが押されると、次のフォルダ（またはファイル）が検索される。例えばカレントのフォルダが「￥鳥の図鑑￥秋￥山」のときに右キー１７Ｒが操作されると、カレントフォルダは「￥鳥の図鑑￥秋￥海」に変更される。その後処理は、ステップＳ１０２に戻り「￥鳥の図鑑￥秋￥海」のフォルダに対応する画像が表示される。なお、右キー１７Ｒによるフォルダの変更は、「山」→「海」→「街」→「山」と循環的に行われ、左キー１７Ｌによる変更は、これとは逆に循環的に行われる。また、ファイルに関しても同様であり、左右キー１７Ｌ、１７Ｒにより、選択されるファイルが循環的に変更され、画像表示装置に対応する画像が表示される。
【００３３】
ステップＳ１０６において、メニュキー１５が押されたと判定された場合には、ステップＳ１１２において、ステップＳ１１０又はステップＳ１１１で選択されるファイルの変更が行なわれステップＳ１０２へ戻る。すなわち、デフォルトでは「＊＊＊．ｊｐｇ」のファイルが選択の対象となっているが、メニュキー１５が操作されると、選択対象となるファイルは「＊＊＊．ｊｐｅｇ」に変更される。また、逆に、「＊＊＊．ｊｐｅｇ」のファイルが選択の対象となっているときにメニュキー１５が操作されると、選択対象となるファイルは「＊＊＊．ｊｐｇ」に変更される。例えば、既に「ツグミ．ｊｐｇ」のファイルが選択されているときにメニュキー１５が押されると、選択ファイルが「ツグミ．ｊｐｅｇ」に変更され、画像表示装置１２には、図５（ｂ）の画像が表示される。なお、ファイルが選択されていないときには、このステップでは何も行われない。
【００３４】
ステップＳ１０７において、ＯＫキー１８が押されたと判定されると、ステップＳ１１３において、選択されているファイルに対応する音声ファイルが開かれ、画像表示装置１２に表示された鳥の鳴き声がスピーカ３０（図２参照）から流れるとともに処理はステップＳ１０２へ戻る。例えば、「ツグミ．ｊｐｇ」のファイルが選択されているときにＯＫキー１８が押されると、「ツグミ．ｗａｖ」に録音された鶫の鳴き声が流れる。なお、ファイルが選択されていないときには、このステップでは何も行われない。
【００３５】
ステップＳ１０８において、メニュキー１５が所定の時間に渡り長押しされたと判定されたときには、この参照画像表示処理のプログラムは終了し、通常のデジタルカメラの処理に復帰する。それ以外のときには、ステップＳ１０２以下の処理が繰り返し実行される。
【００３６】
次に、カレントフォルダが最下位フォルダのときに実行されるステップＳ１１６以下の処理について説明する。ステップＳ１１６では、カレントフォルダに存在する「＊＊＊．ｊｐｇ」のファイルが、例えば図１０に示されるように、マルチ画面として表示される。図１０では、画像表示装置１２に縦横３×３、合計９個のサムネイル画像（１）〜（９）が表示された状態が示されている。
【００３７】
ステップＳ１１７では、サムネイル画像（１）〜（９）の中で選択候補となっているサムネイル画像を指し示すための選択枠が表示される。例えばデフォルトでは、図１０の左上のサムネイル画像（１）の周りに選択枠が表示される。ステップＳ１１８では、矢印キー１７Ｕ、１７Ｄ、１７Ｒ、１７Ｌを用いて、選択枠の移動が行われる。すなわち、右キー１７Ｒが操作されると、選択枠が右隣のサムネイル画像に移動し、左キーが操作されると、左隣のサムネイル画像へ移動する。また、アップキー１７Ｕが操作されると、選択枠が上のサムネイル画像に移動し、ダウンキー１７Ｄが操作されると下側のサムネイル画像に移動する。
【００３８】
ステップＳ１１９〜ステップＳ１２１では、ＯＫキー１８、メニュキー１５が操作された否かが判定され、その操作内容に応じて所定の処理が実行される。ＯＫキー１８が操作された場合には、ステップＳ１２２において、現在選択されている（選択枠が表示されている）サムネイル画像に対応する「＊＊＊．ｊｐｇ」画像を全画面表示し、ステップＳ１０５以下の処理を実行する。また、ステップＳ１２０において、メニュキー１５が通常の長さで押されたと判定された場合には、ステップＳ１２３において、マルチ画面表示を終了するとともに、カレントフォルダが一つ上位のフォルダへ移され、ステップＳ１０２以下の処理が再び実行される。一方、ステップＳ１２１においてメニュキー１５が長押しされたと判定された場合には、この参照画像表示処理動作処理は終了する。なお、ＯＫキー１８及びメニュキー１５の何れも操作されないときには、ステップＳ１１７以下の処理が繰り返される。
【００３９】
以上のように、本実施形態の双眼鏡では、鳥等の観察対象物が種々の属性に基づいて分類されるとともに、各カテゴリが階層的に組み合わされて構成され、これらの階層的な分類にしたがって記録媒体に観察対象物の画像ファイルと音声ファイル等の関連情報を含む関連情報ファイルとが記録されているので、観察時の状況に合わせて、簡便にこれらの画像ファイルや関連情報ファイルを検索し、双眼鏡に搭載された画像表示装置に参照画像として表示できる。また、最下位のフォルダでは、そのフォルダに含まれる画像がマルチ画面表示されるので、観察対象物に対応する画像をより簡単・迅速に探し出すことができる。したがって、現在観察している対象物と検索された参照画像を簡単に照合することができる。更に、これに付随する音声や名称等の関連情報を参照することができるので、容易に観察対象物の同定、あるいは観察対象物に関連する情報を得ることができる。
【００４０】
また、本実施形態では、フォルダの階層構造により、観察対象物の分類を行っているので、極めて簡略な構成で上記検索システムを構成することができ、ユーザが自らデータベースを構築することも容易にできる。
【００４１】
なお、観察対象物は、鳥以外のものでもよく、例えばスポーツ観戦の場合には、チーム、国籍、年齢や所属するリーグ等をカテゴリとして選手の画像やプロフィール、選手毎のテーマ曲等をファイルとして記録してもよい。
【００４２】
本実施形態では、フォルダに対応する画像は、最上位のフォルダ（鳥の図鑑）に全て存在したが、各フォルダに対応する画像を配置してもよい。また、本実施形態では、画像ファイルとしてＪＰＥＧやＢＭＰを用い、音声ファイルとしてＷＡＶファイルを用いたが、他の様々な形式の画像ファイル、音声ファイルを用いることができることは言うまでもない。また、フォルダと画像データファイルとの対応は、例えばフォルダの順番と、ファイルの順番とを対応させて行ってもよいし、フォルダ名とファイル名を対応させて行ってもよい。
【図面の簡単な説明】
【００４３】
【図１】本発明の一実施形態であるデジタルカメラ機能付き双眼鏡の外観を示す斜視図である。
【図２】図１に示された双眼鏡の電気的構成を示すブロック図である。
【図３】本実施形態におけるＩＣメモリカードに存在するフォルダ（ディレクトリ）の階層的な構造を示す図である。
【図４】ＩＣメモリカードにおける「￥鳥の図鑑￥秋￥街￥小」のフォルダに配置されたファイルの一例である。
【図５】図４に例示された「ツグミ．ｊｐｇ」及び「ツグミ．ｊｐｅｇ」の画像ファイルの一例である。
【図６】フォルダ「鳥の図鑑」に配置され、カレントフォルダに対応して表示される画像ファイル名の一覧である。
【図７】フォルダに対応する画像ファイルの一例である。
【図８】本実施形態における参照画像表示処理動作のプログラムのフローチャートである。
【図９】図８のフローチャートの後半部である。
【図１０】マルチ画面表示の一例である。
【符号の説明】
【００４４】
１０  デジタルカメラ機能付き双眼鏡
１２  画像表示装置（ＬＣＤ）
１５  メニュキー
１７Ｒ、１７Ｌ、１７Ｕ、１７Ｄ  矢印キー
１８  ＯＫキー
１９  カードスロット
２３  プロセッサ
Ｍ  記録媒体（ＩＣメモリカード）
【図１】
2005078045.tif 000003
【図２】
2005078045.tif 000004
【図３】
2005078045.tif 000005
【図４】
2005078045.tif 000006
【図５】
2005078045.tif 000007
【図６】
2005078045.tif 000008
【図７】
2005078045.tif 000009
【図８】
2005078045.tif 000010
【図９】
2005078045.tif 000011
【図１０】
2005078045.tif 000012